(57)【要約】【課題】  障子等の格子桟に容易に着脱できるとともに、風や振動を受けて脱落する虞が無く、構造が簡単で製造コストを安くできる格子桟用パネルを提供する。【解決手段】  パネル本体２を格子桟９の桝目Ｍ内に配置し、当該パネル本体２を撓ませることにより、縦方向の２辺に設けられた各係合片５、６を、これらの辺にそれぞれ隣接する縦桟７の表裏何れかの同じ側の側面に係合させるとともに、横方向の２辺に設けられた各係合片３、４を、これらの辺にそれぞれ隣接する横桟８の、前記各係合片５、６が係合する縦桟７の側面とは表裏逆側の側面に係合させ、パネル本体２の弾性復元力により、これらの係合片３、４、５、６が格子桟９を表裏両側から挟み込んで、格子桟９の桝目Ｍ内にパネル本体２を位置決め保持する【選択図】  図２
2015025335.tif 000002
【特許請求の範囲】
【請求項１】
少なくとも周縁部が弾性復元力を有する素材で形成され、全体が撓み変形可能で、外周輪郭が障子等の縦桟と横桟で構成される格子桟の桝目に適合する矩形板状のパネル本体と、
前記パネル本体の縦横各辺の略中央位置にそれぞれ設けられた係合片から構成され、
パネル本体を格子桟の桝目内に配置して撓ませ、縦の２辺にそれぞれ設けられた係合片を、これらの辺にそれぞれ隣接する縦桟の表裏何れかの同じ側の側面に係合させるとともに、横の２辺にそれぞれ設けられた係合片を、これらの辺にそれぞれ隣接する横桟の、前記縦の２辺の各係合片が係合する縦桟の側面とは表裏逆側の側面に係合させ、
パネル本体の弾性復元力により、縦の２辺に設けられた一対の係合片と横の２辺に設けられた一対の係合片で格子桟を表裏両側から挟み込んで、格子桟の桝目内にパネル本体を位置決め保持するようにしたことを特徴とする格子桟用パネル。
【請求項２】
パネル本体に、予め縦方向と横方向で互いに逆向きの反りが付与されていることを特徴とする請求項１に記載の格子桟用パネル。
【請求項３】
各係合片は、それぞれが係合する縦桟又は横桟の奥行き幅の半分未満の長さで、パネル本体の表面又は裏面から略垂直に突出する立ち上がり部を有し、パネル本体の縦の２辺に設けられた一対の係合片の立ち上がり部と、横の２辺に設けられた一対の係合片の立ち上がり部は、パネル本体から互いに反対向きに突出していることを特徴とする請求項１に記載の格子桟用パネル。
【請求項４】
パネル本体の縦の２辺にそれぞれ設けられている係合片は、これらの辺の垂直２等分線に対して互いに反対側で当該垂直２等分線近傍に配置されているとともに、当該パネル本体の横の２辺にそれぞれ設けられている係合片は、これらの辺の垂直２等分線に対して互いに反対側で当該垂直２等分線近傍に配置されていることを特徴とする請求項１乃至３の何れかに記載の格子桟用パネル。
【発明の詳細な説明】
【技術分野】
【０００１】
本発明は、障子等の格子桟に着脱自在に装着できる格子桟用パネルに関する。
【背景技術】
【０００２】
従来より、障子が部分的に破れた場合に、障子紙を貼り替えずに放置しておくと、室内の密封性が低下したり、美観が損なわれる問題が生じるため、例えば、特許文献１に記載されているように、障子紙全体の張り替えを行うことなく補修を可能にする提案がなされている。
【０００３】
同文献において提案されている、障子の補修兼装飾桝枠は、障子の一桝に対して嵌脱可能に嵌合する角形枠体の背面側に、例えば障子紙と同じ和紙のシートを貼着したもので、障子紙が破れている桝にこれを嵌め込んで、密封性を確保するようにしている。
また、前記角形枠体に配備するシートに、絵柄等を施した、紙シートやプラスチックシートを用いることで、室内装飾効果も得られるようにしている。
【先行技術文献】
【特許文献】
【０００４】
【特許文献１】特開２０００−１９２７４５号公報
【発明の概要】
【発明が解決しようとする課題】
【０００５】
前述した、特許文献１に記載されている障子の補修兼装飾桝枠は、障子紙が破れている障子の桝を簡単に塞ぐことができるが、桝枠が障子の桝内に摩擦のみで保持されているため、風や振動を受けると、障子の桝内から脱落する虞がある。
【０００６】
また、シートを貼着する角形枠体の寸法精度を高めても、障子の桝が経年変化等で形状に歪みや寸法変化が生じると、嵌合が固くなって着脱が困難になったり、逆に嵌合が緩んで摩擦固定できなくなる虞もある。
【０００７】
そこで、本発明は、前述したような従来技術の問題点を解決し、障子等の格子桟に容易に着脱できるとともに、風や振動を受けて脱落する虞が無く、構造が簡単で製造コストを安くできる格子桟用パネルを提供することを目的とする。
【課題を解決するための手段】
【０００８】
前記目的のため、本発明の格子桟用パネルは、少なくとも周縁部が弾性復元力を有する素材で形成され、全体が撓み変形可能で、外周輪郭が障子等の縦桟と横桟で構成される格子桟の桝目に適合する矩形板状のパネル本体と、前記パネル本体の縦横各辺の略中央位置にそれぞれ設けられた係合片から構成され、パネル本体を格子桟の桝目内に配置して撓ませ、縦の２辺にそれぞれ設けられた係合片を、これらの辺にそれぞれ隣接する縦桟の表裏何れかの同じ側の側面に係合させるとともに、横の２辺にそれぞれ設けられた係合片を、これらの辺にそれぞれ隣接する横桟の、前記縦の２辺の各係合片が係合する縦桟の側面とは表裏逆側の側面に係合させ、パネル本体の弾性復元力により、縦の２辺に設けられた一対の係合片と横の２辺に設けられた一対の係合片で格子桟を表裏両側から挟み込んで、格子桟の桝目内にパネル本体を位置決め保持するようにしたものである。
【０００９】
本発明の格子桟用パネルにおいては、パネル本体に、予め縦方向と横方向で互いに逆向きの反りが付与されていることが望ましい。また、各係合片は、それぞれが係合する縦桟又は横桟の奥行き幅の半分未満の長さで、パネル本体の表面又は裏面から略垂直に突出する立ち上がり部を有し、パネル本体の縦の２辺に設けられた一対の係合片の立ち上がり部と、横の２辺に設けられた一対の係合片の立ち上がり部は、パネル本体から互いに反対向きに突出していることも望ましい。
【００１０】
さらに、パネル本体の縦の２辺にそれぞれ設けられている係合片は、これらの辺の垂直２等分線に対して互いに反対側で当該垂直２等分線近傍に配置されているとともに、当該パネル本体の横の２辺にそれぞれ設けられている係合片は、これらの辺の垂直２等分線に対して互いに反対側で当該垂直２等分線近傍に配置されていることも望ましい。
【発明の効果】
【００１１】
請求項１に記載された発明に係る格子桟用パネルによれば、パネル本体の弾性復元力により、その縦方向の２辺に設けられている一対の係合片と、横方向の２辺に設けられている一対の係合片が、格子桟を表裏両側から挟み込んで、格子桟の桝目内にパネル本体を確実に位置決め保持することができるので、障子の開け閉め等により格子桟に伝わる振動や、風の風圧で、格子桟用パネルが格子桟から脱落する虞がない。
【００１２】
また、格子桟の桝目への着脱が容易であるため、障子紙が破れた桝目の補修作業を簡単に行うことができるとともに、経年変化等で格子桟の桝目の形状に、多少の歪みや寸法変化が生じても、着脱に支障をきたすことがなく、且つ、構造が単純であるため製造コストも安くできる。
【００１３】
さらに、パネル本体の中央部分は、必要に応じて、障子紙を貼り付けたり、様々な絵柄や写真等を表示したり、あるいは、光触媒等をコーティングしたシートを装着して空気浄化機能を付加する等、必要に応じて、様々な態様で利用することができる。
【００１４】
請求項２及び請求項３に記載されたそれぞれの発明に係る格子桟用パネルによれば、請求項１に記載された発明の効果に加えてさらに、格子桟の奥行き幅が広い場合や、パネル本体に弾性変形し難い硬質の素材が使用されている場合にも、各係合片を縦桟と横桟の各側面に確実に係合させることができるとともに、桝目内への着脱作業を容易に行うことができる。
【００１５】
請求項４に記載された発明に係る格子桟用パネルによれば、請求項１乃至請求項３の何れかの記載された発明の効果に加えてさらに、縦又は横に隣合う格子桟用パネルの係合片のそれぞれを、格子桟の表又は裏の同じ側の側面に係合させることが可能であるため、格子桟用パネル毎に、パネル本体の反り方向を、隣接する格子桟用パネルと関係無く自由に選択することができ、レイアウトや視覚効果上の自由度を高めることができる。
【図面の簡単な説明】
【００１６】
【図１】本発明の格子桟用パネルの第１の実施形態を示す平面図である。
【図２】図１に示す格子桟用パネルを障子の格子桟に取り付けた状態を示す斜視図である。
【図３】図２のＡ−Ａ断面図である。
【図４】図２のＢ−Ｂ断面図である。
【図５】本発明の格子桟用パネルの第２の実施形態を示す斜視図である。
【図６】本発明の格子桟用パネルの第３の実施形態を示す斜視図である。
【図７】図６に示す格子桟用パネルの格子桟への取り付け状態を示す、部分縦断面図である。
【図８】図６に示す格子桟用パネルの格子桟への取り付け状態を示す、部分水平断面図である。
【図９】本発明の格子桟用パネルの第４の実施形態を示す平面図である。
【図１０】本発明の格子桟用パネルの第５の実施形態を示す平面図である。
【図１１】図１０のＣ−Ｃ断面図である。
【図１２】本発明のさらに別の実施形態を示す、種々のパネル本体を備えた格子桟パネルの平面図である。
【発明を実施するための形態】
【００１７】
以下、図面に基づいて、本発明の実施形態を説明する。
図１は、本発明の格子桟用パネルの第１の実施形態を示す平面図、図２は、前記格子桟用パネルを障子の格子桟に取り付けた状態を示す斜視図であって、これらの図に示す格子桟用パネル１は、撓み変形可能で変形に対して弾性復元力を有する、樹脂製の薄い平板で形成された矩形状のパネル本体２と、その縦横各辺の中央位置から外側に突出するように一体に設けられた、４つの係合片３、４、５、６から構成されている。
【００１８】
図２に示すように、格子桟用パネル１は、そのパネル本体２の縦横の各辺が、複数の縦桟７と横桟８で構成された格子桟９の桝目Ｍ（左右に隣合う一対の縦桟７と上下に隣合う一対の横桟８に囲まれた矩形状の空間部分）に適合するサイズに形成されている。
【００１９】
そして、同図のように、パネル本体２を桝目Ｍ内に配置して撓ませることにより、上下一対の係合片３、４をそれぞれ対応する上下の横桟８の表裏何れか同じ側の側面に係合し、左右一対の係合片５、６を、前記一対の係合片３、４が係合する側面とは表裏反対側で、それぞれ対応する左右の縦桟７に係合して、格子桟６に取り付けている。
【００２０】
このように、格子桟用パネル１を格子桟９の桝目Ｍ内に取り付けた状態においては、パネル本体２は弾性変形しているため弾性復元力が生じており、この弾性復元力によって、上下一対の係合片３、４と、左右一対の係合片５、６は、格子桟９を表裏両側から挟み込んでいるため、パネル本体２は桝目Ｍ内にがたつきなく保持されている。
【００２１】
前述した格子桟用パネル１は、格子桟９に張られた障子紙が部分的に破れた場合に、破れた箇所の桝目Ｍのみに取り付けて、障子紙の孔を塞ぐために用いることができるが、図２に示す実施形態では、複数の格子桟用パネル１が、格子桟９の縦横の各桝目Ｍ内に装着してある。
【００２２】
そのため、図３に示すように、格子桟９の横方向に配列されている格子桟用パネル１どうしで隣合う係合片５、６は、相互の干渉を避けるために、互いに縦桟７の表裏反対側の側面にそれぞれ係合させてある。
【００２３】
また、同様に、格子桟９の縦方向に配列されている格子桟用パネル１どうしで隣合う係合片３、４は、図４に示すように、相互の干渉を避けるために、互いに横桟８の表裏反対側の側面にそれぞれ係合させてある。
【００２４】
次に、図５は、本発明の格子桟用パネルの第２の実施形態を示す斜視図であって、同図に示す格子桟用パネル１Ａは、パネル本体２Ａの縦方向と横方向で互いに逆向きの反りを、成形時にあらかじめ付加しているもので、係合片３Ａ、４Ａ、５Ａ、６Ａについては、前述した実施形態の係合片３、４、５、６と同一形状である。
【００２５】
本実施形態の格子桟用パネル１Ａは、図２に示す格子桟用パネル１と同様に、パネル本体２Ａを桝目Ｍ内に組み込む際に、格子桟９の表裏間の奥行き幅Ｗ（図３又は図４に表示）が広い場合や、パネル本体２Ａに弾性変形し難い硬質の素材を使用している場合に適しており、桝目Ｍへの装着時に、パネル本体２Ａの撓み変形量が少なくて済み、各係合片３Ａ、４Ａ、５Ａ、６Ａを前述の縦桟７と横桟８の各側面に確実に係合させることができるとともに、桝目Ｍ内への着脱作業を容易に行うことができる。
【００２６】
また、図６は、本発明の格子桟パネルの第３の実施形態を示す斜視図であって、同図に示す格子桟用パネル１Ｂは、前述した図１及び図２に示す格子桟用パネル１と、係合片３Ｂ、４Ｂ、５Ｂ、６Ｂの形状が異なっており、パネル本体２Ｂは、矩形平板状で、前述の格子桟用パネル１のパネル本体２と同一形状である。
【００２７】
これらの係合片３Ｂ、４Ｂ、５Ｂ、６Ｂはそれぞれ、パネル本体２Ｂの表面又は裏面から垂直に突出する立ち上がり部ａを有しており、横の２辺に設けられた一対の係合片３Ｂ、４Ｂの立ち上がり部と、縦の２辺に設けられた一対の係合片５Ｂ、６Ｂの立ち上がり部は互いに反対向きに突出している。
【００２８】
図７は、前記格子桟用パネル１Ｂの係合片３Ｂと、横桟８Ａの側面との係合状態を示す部分縦断面図、図８は、係合片５Ｂと縦桟７Ａの側面との係合状態を示す部分水平断面図であって、これらの図に示すように、この実施形態のものにおいては、横桟８Ａと縦桟７Ａの奥行き幅Ｗ１は、前述した実施形態における図３及び図４に示す奥行き幅Ｗより広く形成されている。
【００２９】
各係合片３Ｂ、４Ｂ、５Ｂ、６Ｂの立ち上がり部ａの長さは、格子桟用パネル１Ｂを、縦桟７Ａと横桟８Ａで構成されている格子桟に装着した際に、パネル本体２Ｂが所定量撓み変形して格子桟に保持されるために必要な弾性復元力が生じるように、前記奥行き幅Ｗ１の半分未満に設定してある。
【００３０】
この実施形態の格子桟用パネル１Ｂは、立ち上がり部ａを設けたことによって、格子桟への装着時のパネル本体２Ｂの撓み変形量を少なくできるため、前述した図５に示す格子桟用パネル１Ａと同様に、パネル本体２Ｂに弾性変形し難い硬質の素材を使用している場合にも好適に用いることができる。
【００３１】
次に、図９は、本発明の格子桟パネルの第４の実施形態を示す平面図であって、同図に示す格子桟用パネル１Ｃにおいては、パネル本体２Ｃの横の２辺にそれぞれ設けられている係合片３Ｃ、４Ｃは、これらの辺の垂直二等分線Ｙに対して互いに反対側から隣接するように配置されている。また、同様に、パネル本体２Ｃの縦の２辺にそれぞれ設けられている係合片５Ｃ、６Ｃは、これらの辺の垂直二等分線Ｘに対して互いに反対側から隣接するように配置されている。
【００３２】
前記格子桟用パネル１Ｃは、格子桟の縦方向又は横方向に複数並べて配置した場合に、隣合う格子桟用パネル１Ｃ間で、対向する上下の係合片３Ｃ、４Ｃどうし、または、左右の係合片５Ｃ、６Ｃどうしを、格子桟の表裏何れかの同じ側の側面に配置することができる。
【００３３】
次に、図１０は、本発明の格子桟パネルの第５の実施形態を示す平面図、図１１は、図１０のＣ−Ｃ断面図であって、この実施形態における格子桟パネル１Ｄは、パネル本体２Ｄの各辺の中央位置近傍にそれぞれ略Ｕ字形の切り込みｔを入れ、それぞれの切り込みｔの内側部分をパネル本体２Ｄの各辺の外側に折り返して突出させ、係合片３Ｄ、４Ｄ、５Ｄ、６Ｄを形成したものであり、折り返してパネル本体２Ｄに重なった部分を当該パネル本体２Ｄに接着剤や熱融着で固定して、折り返しが戻らないようにしてある。
【００３４】
なお、前述した各実施形態のものにおいては、何れも格子桟パネルを構成するパネル本体と各係合片を一体に形成しているが、両者を同一素材もしくは異なる素材で個別に製作し、後から接着剤や熱融着等によって一体に連結してもよい。
【００３５】
また、パネル本体の素材は、樹脂製の薄い平板に限らず、少なくとも周縁部が弾性復元力を有する素材で、且つ、全体が撓み変形可能なものであればよく、ステンレス板やチタン板等の金属板や紙、その他、様々な素材を単体、又は複数組み合わせて用いることができる。
【００３６】
図１２は、本発明のさらに別の実施形態を示す、種々のパネル本体を備えた格子桟パネルの平面図であって、同図に示す各実施形態のものは、前述した第１実施形態の格子桟用パネル１と係合片の構造は共通である。
【００３７】
同図（ａ）に示す格子桟用パネル１Ｅは、パネル本体２Ｅの中央部分に切り抜き孔１０を形成し、そこに障子紙１１を貼り付けたものである。切り抜き孔１０の形状は、パネル本体２Ｅの機能を損なわない限り、任意の形状とすることが可能である。
【００３８】
また、同図（ｂ）に示す格子桟用パネル１Ｆは、パネル本体２Ｆに形成した、前述の切り抜き孔１０と同様な切り抜き孔１２の中に、２重の透明フィルム１３の間に封入した押し葉１４を配置したものである。なお透明フィルム１３の間に封入するものは、押し葉に限らず、例えば、押し花や、標本処理した蝶などの昆虫類や、エビやカニ等の海生生物等であってもよい。
【００３９】
また、同図（ｃ）に示す格子桟用パネル１Ｇは、パネル本体２Ｇの中央部分に、エンボス模様１５を型押し加工したものである。さらに、同図（ｄ）に示す格子桟用パネル１Ｈは、パネル本体２Ｈの内側に矩形状の切り抜き孔１６を形成し、その内側に光触媒をコーティングした透光性のシート１７を張り付けたものである。
【００４０】
前記シート１７には、例えば、光触媒となる酸化チタンの微粒子をコーティングしたガラス繊維の布を用いることができ、太陽光等が当たると、光触媒による光化学反応によって、室内の消臭や殺菌を行うことができる。
【００４１】
本発明の格子桟用パネルは、前述した各実施形態の他、パネル本体に写真や絵画の図柄や、ホログラムを張り付けたり、あるいは、芳香剤や消臭剤を含浸させた不織布等を張り付けて使用することも可能である。
【産業上の利用可能性】
【００４２】
本発明の格子桟用パネルは、障子の格子桟の補修や装飾等に利用可能である他、種々の展示会の会場や美術館等の室内や室外に設置した格子桟に、パネル本体に様々な写真や絵画等を表示したもの複数並べて展示する目的にも利用可能である。
【符号の説明】
【００４３】
１、１Ａ〜１Ｈ  格子桟用パネル
２、２Ａ〜２Ｈ  パネル本体
３、４、５、６  係合片
３Ａ、４Ａ、５Ａ、６Ａ  係合片
３Ｂ、４Ｂ、５Ｂ、６Ｂ  係合片
３Ｃ、４Ｃ、５Ｃ、６Ｃ  係合片
７、７Ａ  縦桟
８、８Ａ  横桟
９  格子桟
１０  切り抜き孔
１１  障子紙
１２  切り抜き孔
１３  透明フィルム
１４  押し葉
１５  エンボス模様
１６  切り抜き孔
１７  光触媒シート 
Ｍ  桝目
Ｗ、Ｗ１  奥行き幅
ａ  立ち上がり部
ｔ  切り込み
Ｘ、Ｙ  垂直２等分線    
【図１】
2015025335.tif 000003
【図２】
2015025335.tif 000004
【図３】
2015025335.tif 000005
【図４】
2015025335.tif 000006
【図５】
2015025335.tif 000007
【図６】
2015025335.tif 000008
【図７】
2015025335.tif 000009
【図８】
2015025335.tif 000010
【図９】
2015025335.tif 000011
【図１０】
2015025335.tif 000012
【図１１】
2015025335.tif 000013
【図１２】
2015025335.tif 000014